(57)【要約】      （修正有）【課題】ループ最適化方法による操作を繰り返し、堅実な戦略群レポート情報を生成し、取引システムに接続して取引市場での実際の自動発注作業を達成できる戦略生成システムを提供する。【解決手段】自動評価及び自動取引の戦略生成システムは、情報保存モジュール、商品管理モジュール、戦略生成モジュール、戦略成績評価モジュール、及び戦略選別モジュールを有する。商品管理モジュールは、情報保存モジュールに保存されるすべての投資商品の過去取引記録の生データを予定のフォーマットの模擬戦略成分として記録する。戦略生成モジュールは、合致する模擬戦略成分をランダム選択して取引模擬パラメータ群を自動生成し、それを選択される模擬戦略成分に適用する。戦略成績評価モジュールは、動的評価関数によって選択される模擬戦略成分の利益確率を分析する。戦略選別モジュールは、利益確率が高い模擬戦略群を残す。【選択図】図１
0003230597.tif 000002
【実用新案登録請求の範囲】
【請求項１】
情報を計算し、取引システムに接続される、自動評価及び自動取引する戦略生成システムであって、
情報保存モジュール、商品管理モジュール、戦略生成モジュール、戦略成績評価モジュール、戦略選別モジュール、及び戦略関連性検出モジュールを有し、
前記情報保存モジュールは、前記戦略生成システムに信号接続され、複数の前記投資商品の過去取引記録の生データを保存し、
前記商品管理モジュールは、前記戦略生成システムに信号接続され、操作インターフェイスユニットを有し、すべての前記投資商品の過去取引記録の生データを予定のフォーマットの模擬戦略成分として記録し、前記操作インターフェイスユニットを介して前記戦略生成システムに対して取引状態設定値を設定し、
前記戦略生成モジュールは、前記戦略生成システムに信号接続され、前記操作インターフェイスユニットによって設定される取引状態設定値に基づいて、前記商品管理モジュールの複数の前記模擬戦略成分から、前記取引状態設定値に合致する模擬戦略成分をランダム選択し、前記戦略生成モジュールによって取引模擬パラメータ群を自動生成し、前記取引模擬パラメータ群を選択される模擬戦略成分に適用し、前記取引模擬パラメータ群に基づいて前記模擬戦略成分の模擬取引の買売タイミングを制御し、
前記戦略成績評価モジュールは、前記戦略生成システムに信号接続され、適用される前記取引模擬パラメータ群の戦略模擬成分の利益確率を分析及び検出するための動的評価関数を有し、
前記戦略選別モジュールは、前記戦略生成システムに信号接続され、前記戦略成績評価モジュールで分析したすべての戦略模擬成分の利益確率を記録し、利益確率で並べ替え、且つ淘汰デフォルト値を有し、
前記淘汰デフォルト値は、前記淘汰デフォルト値を達してない戦略模擬成分を削除するために用いられ、
前記戦略関連性検出モジュールは、前記戦略生成システム及び前記取引システムに信号接続され、
前記戦略生成モジュール、前記戦略成績評価モジュール、及び前記戦略選別モジュールをループ最適化の方法で操作を繰り返し、前記淘汰デフォルト値に達する前記等戦略模擬成分の利益確率の成績が収束に近づくと、堅実な戦略群レポート情報を生成し、前記戦略関連性検出モジュールによって前記堅実な戦略群レポート情報を受信し、前記堅実な戦略群レポート情報に対して戦略の関連性を検出した後、前記戦略関連性検出モジュールによって関連性検出した前記堅実な戦略群レポート情報を前記取引システムに接続し、取引市場での実際の自動取引作業を完成することを特徴とする、自動評価及び自動取引する戦略生成システム。
【請求項２】
前記戦略関連性検出モジュールは、線形相関係数、多重相関係数、又は正準相関係数の少なくとも１つを利用して関連性を検出することを特徴とする、請求項１に記載の自動評価及び自動取引の戦略生成システム。
【請求項３】
前記模擬戦略成分は、すべての前記投資商品の過去買売タイミング、価格、利益確定点、又は損失確定点の少なくとも１つ以上の取引記録であることを特徴とする、請求項１に記載の自動評価及び自動取引の戦略生成システム。
【請求項４】
前記操作インターフェイスユニットの取引状態設定値は、前記投資商品の開始時間、終了時間、取引値の少なくとも２つ以上の設定数値であることを特徴とする、請求項１に記載の自動評価及び自動取引の戦略生成システム。
【考案の詳細な説明】
【技術分野】
【０００１】
本考案は、自動評価及び自動取引の戦略生成システムに関し、特に、投資商品（例えば、株、先物取引、ＦＸ等の金融投資商品）の過去取引記録の生データに基づいて複数の模擬戦略成分を生成し、ループ最適化評価を自動的に行って、最後、取引システムに接続し、取引市場での実際の自動発注作業機能を有する戦略生成システムに関する。
【背景技術】
【０００２】
金融商品とは、一般的に取引できるＦＸ、債券、株、選択権等の金融投資商品を指す。金融商品は、取引されているため、その価格が市場の投資環境につれて変更する。そのため、金融商品を有効に分析して適切なのタイミングで金融商品を買う／売ることは、非常に重要である。
【０００３】
一般的には、現在の金融取引システムは、大体、取引支援システムに属する。取引支援システムとは、巨大なデータベースに基づいて過去の価格情報及び即時的な価格情報を統計及び計算するものである。使用者は、各種の金融商品の情報を全般的に把握した上で、自身（例えば、個人の投資者、マネージャー）の経験則に基づいて適切な商品を選択して投資する。
【０００４】
しかし、このような取引支援システムは、使用者に価格情報を提供するだけであり、金融商品の目まぐるしい価格変動及び外部の投資環境による影響によって、金融商品の価格変動を予測できず、多くの適切な買う／売るタイミングを見落とすことになる。
【０００５】
よって、投資商品（例えば、金融投資商品）の過去取引記録の生データに基づいて、複数の模擬戦略成分を生成し、ループ最適化評価を自動に行って、最後、自動に取引システムに接続し、金融取引での実際の自動評価及び発注作業を達成できる戦略生成システムを求められている。
【考案の概要】
【考案が解決しようとする課題】
【０００６】
上記問題を鑑みて、本考案は、自動評価及び自動取引の戦略生成システムを提供する。前記戦略生成システムは、取引市場の投資商品に対して自動評価及び自動取引の作業を行って、且つ情報を計算し、取引システムに接続できる。
【課題を解決するための手段】
【０００７】
前記戦略生成システムは、情報を計算し、取引システムに接続され、情報保存モジュール、商品管理モジュール、戦略生成モジュール、戦略成績評価モジュール、及び戦略選別モジュールを有する。前記情報保存モジュールは、戦略生成システムに信号接続され、複数の投資商品（例えば、株、先物取引、ＦＸ等の金融投資商品）の過去取引記録の生データを保存する。前記商品管理モジュールは、前記戦略生成システムに信号接続され、操作インターフェイスユニットを有し、すべての投資商品の過去取引記録の生データを予定のフォーマットの模擬戦略成分として記録し、操作インターフェイスユニットを介して戦略生成システムに対して取引状態設定値（例えば、金融投資商品の開始／終了時間、取引値）を設定する。前記戦略生成モジュールは、戦略生成システムに信号接続され、操作インターフェイスユニットによって設定される取引状態設定値に基づいて、商品管理モジュールの複数の模擬戦略成分から、取引状態設定値に合致する模擬戦略成分をランダム選択し、戦略生成モジュールによって取引模擬パラメータ群を自動生成する。取引模擬パラメータ群を選択される模擬戦略成分に適用し、取引模擬パラメータ群に基づいて、模擬戦略成分の模擬取引の買売タイミングを制御する。前記戦略成績評価モジュールは、戦略生成システムに信号接続され、適用される取引模擬パラメータ群の戦略模擬成分の利益確率を分析及び検出するための動的評価関数を有する。前記戦略選別モジュールは、前記戦略生成システムに信号接続され、戦略成績評価モジュールで分析したすべての戦略模擬成分の利益確率を記録し、利益確率で並べ替え、且つ淘汰デフォルト値を有する。前記淘汰デフォルト値は、淘汰デフォルト値を達してない戦略模擬成分を削除するために用いられる。戦略生成モジュール、戦略成績評価モジュール、及び戦略選別モジュールをループ最適化の方法で操作を繰り返し、淘汰デフォルト値に達する戦略模擬成分の利益確率の成績が収束に近づくと、堅実な戦略群レポート情報を生成する。前記堅実な戦略群レポート情報を受信し、前記堅実な戦略群レポート情報に対して戦略の関連性を検出した後、堅実な戦略群レポート情報に基づいて、戦略生成システムと前記取引システムを接続して、取引市場での実際の自動発注作業を完成する。
【０００８】
本考案の特徴は、前記戦略生成モジュールによって複数の模擬戦略成分から、取引状態設定値に合致する模擬戦略成分をランダム選択し、自動生成した取引模擬パラメータ群を選択される模擬戦略成分に適用し、模擬戦略成分に対して模擬取引を行う。そして、順に戦略成績評価モジュール、戦略選別モジュールによって模擬取引の模擬戦略成分の利益確率を分析し、淘汰デフォルト値に達する戦略模擬成分を選別する。このようにすると、戦略生成モジュール、戦略成績評価モジュール、及び戦略選別モジュールをループ最適化の方法で操作を繰り返した後、淘汰デフォルト値に達する複数の戦略模擬成分の利益確率の成績が収束に近づくと、堅実な戦略群レポート情報を生成する。堅実な戦略群レポート情報に基づいて、戦略生成システムと取引システムを接続し、投資商品に対する自動戦略評価、及び実際の取引市場での自動取引作業を達成できる。そのため、経験則に基づいて適切な買う又は売るタイミングを見落とすことを避ける。
【０００９】
１つの実施例において、前記戦略関連性検出モジュールは、線形相関係数、多重相関係数、又は正準相関係数の少なくとも１つを利用して関連性を検出する。
【００１０】
１つの実施例において、前記模擬戦略成分は、すべての前記投資商品の過去買売タイミング、価格、利益確定点、又は損失確定点の少なくとも１つ以上の取引記録である。
【００１１】
１つの実施例において、前記操作インターフェイスユニットの取引状態設定値は、前記投資商品の開始時間、終了時間、取引値の少なくとも２つ以上の設定数値である。
【００１２】
当業者が本考案の内容を理解及び実施できるように、下記実施形態によって本考案の特徴及び利点を説明する。本明細書に開示される内容、請求項、及び図面に基づいて、当業者が容易に本考案の目的及び利点を理解できる。
【図面の簡単な説明】
【００１３】
【図１】本考案実の自動評価及び自動取引の戦略生成システムの第１実施例の構成図である。
【図２】本考案実の自動評価及び自動取引の戦略生成システムの第２実施例の構成図である。
【考案を実施するための形態】
【００１４】
以下、図面を開示しながら実施例を詳しく説明するが、本考案は、それらに限定されない。当業者は、下記実施例の開示内容に基づいて本考案の範囲を理解できる。
【００１５】
図１及び図２を参照しながら説明する。図１は、自動評価及び自動取引の戦略生成システムの第１実施例の構成図である。図２は、自動評価及び自動取引の戦略生成システムの第２実施例の構成図である。本考案の自動評価及び自動取引の戦略生成システム１は、情報保存モジュール１１、商品管理モジュール１２、戦略生成モジュール１３、戦略成績評価モジュール１４、及び戦略選別モジュール１５を有する。
【００１６】
前記情報保存モジュール１１は、戦略生成システム１に信号接続され、複数の投資商品の過去取引記録の生データを保存する。
【００１７】
前記商品管理モジュール１２は、戦略生成システム１に信号接続され、操作インターフェイスユニットを有する。また、前記商品管理モジュール１２は、情報保存モジュール１１に情報接続される。商品管理モジュール１２は、すべての投資商品の過去取引記録の生データを予定のフォーマットの模擬戦略成分として記録し、操作インターフェイスユニットを介して戦略生成システム１に対して取引状態設定値を設定する。前記模擬戦略成分は、すべての投資商品の過去取引記録（例えば、投資商品の過去買売タイミング、価格、利益確定点、損失確定点等の取引記録）であってもよい。前記操作インターフェイスユニットの取引状態設定値は、投資商品の開始時間、終了時間、取引値等の数値であってもよい。
前記戦略生成モジュール１３は、戦略生成システム１に信号接続され、商品管理モジュール１２に情報接続され、操作インターフェイスユニットによって設定される取引状態設定値に基づいて、商品管理モジュール１２の複数の模擬戦略成分から、取引状態設定値に合致する模擬戦略成分をランダム選択し、戦略生成モジュール１３によって取引模擬パラメータ群（例えば、利益確定値、損失確定値等）を自動生成する。取引模擬パラメータ群を選択される模擬戦略成分に適用し、取引模擬パラメータ群に基づいて模擬戦略成分の模擬取引の買売タイミングを制御する。
【００１８】
前記戦略成績評価モジュール１４は、戦略生成システムに信号接続され、戦略生成モジュール１３に情報接続され、適用される取引模擬パラメータ群の戦略模擬成分の利益確率を分析及び検出するための動的評価関数を有する。
【００１９】
前記戦略選別モジュール１５は、戦略生成システム１に信号接続され、且つ戦略成績評価モジュール１４及び戦略生成モジュール１３に信号接続され、戦略成績評価モジュール１４で分析したすべての戦略模擬成分の利益確率を記録し、利益確率で並べ替え、且つ淘汰デフォルト値を有する。前記淘汰デフォルト値は、前記淘汰デフォルト値に達してない戦略模擬成分を削除するために用いられる。
【００２０】
前記戦略生成システム１は、情報を計算し、前記戦略生成モジュール１３、戦略成績評価モジュール１４、及び戦略選別モジュール１５をループ最適化の方法で操作を繰り返す。戦略選別モジュール１５において、淘汰デフォルト値に達する複数の戦略模擬成分の利益確率の成績が収束に近づくと、戦略生成システム１によって堅実な戦略群レポート情報４（例えば、安定に利益を得られる取引情報）を生成する。そして、堅実な戦略群レポート情報４に基づいて、戦略生成システム１と取引システム３（例えば、金融商品オンライン取引システム）を接続し、取引システム３を介して取引市場での実際の自動取引作業を完成する。
【００２１】
よって、前記戦略生成モジュール１３は、複数の模擬戦略成分から、取引状態設定値に合致する模擬戦略成分をランダム選択し、自動生成した取引模擬パラメータ群を選択される模擬戦略成分に適用し、模擬戦略成分に対して模擬取引を行う。そして、順に戦略成績評価モジュール１４、戦略選別モジュール１５によって模擬取引の模擬戦略成分の利益確率を分析し、淘汰デフォルト値に達する戦略模擬成分を選別する。このようにすると、戦略生成モジュール１３、戦略成績評価モジュール１４、及び戦略選別モジュール１５をループ最適化の方法で操作を繰り返した後、淘汰デフォルト値に達する複数の戦略模擬成分の利益確率の成績が収束に近づくと、堅実な戦略群レポート情報４を生成し、堅実な戦略群レポート情報４に基づいて、戦略生成システム１と取引システム３を接続し、投資商品に対する自動戦略評価、及び実際の取引市場での自動取引作業を達成できる。そのため、経験則に基づいて適切な買う又は売るタイミングを見落とすことを避ける。
【００２２】
図２を参照しながら説明する。図２は、自動評価及び自動取引の戦略生成システムの第２実施例であり。そのうち、戦略生成システム１は、戦略関連性検出モジュール２をさらに有する。前記戦略関連性検出モジュール２は、戦略生成システム１及び取引システム３に信号接続され、堅実な戦略群レポート情報４を受信し、堅実な戦略群レポート情報４に対して戦略の関連性を検出した後、戦略関連性検出モジュール２によって関連性を検出した堅実な戦略群レポート情報４を取引システム３（例えば、金融商品のオンライン取引システム）に接続し、取引システム３を介して取引市場での実際の自動取引作業を完成できる。前記戦略関連性検出モジュール２は、線形相関係数、多重相関係数、又は正準相関係数の少なくとも１つを利用して関連性を検出する。
【００２３】
前記実施例によって本考案の技術思想及び特徴を説明したが、本考案は、それらに限定されない。本考案の精神に基づいてなされた均等的な変更又は改良は、いずれも本考案の範囲に含む。
【００２４】
本明細書に記載の用語（科学用語を含む）は、当業者が一般的に理解していると同じ意味を有する。また、例えば、一般的に辞書に定義される用語は、関連分野における意味と一致している。特に定義されていない限りに、それらの用語の意味を過度に限定するべきではない。
【００２５】
上記をまとめて、本考案は、従来技術の課題を解決し、当業者が容易に想到できるものではないため、進歩性及び利用性を有する。
【符号の説明】
【００２６】
１  戦略生成システム
１１  情報保存モジュール
１２  商品管理モジュール
１３  戦略生成モジュール
１４  戦略成績評価モジュール
１５  戦略選別モジュール
２  戦略関連性検出モジュール
３  取引システム
４  堅実な戦略群レポート情報
【図１】
0003230597.tif 000003
【図２】
0003230597.tif 000004
【手続補正書】
【提出日】令和2年11月25日(2020.11.25)
【手続補正１】
【補正対象書類名】実用新案登録請求の範囲
【補正対象項目名】全文
【補正方法】変更
【補正の内容】
【実用新案登録請求の範囲】
【請求項１】
情報を計算し、取引システムに接続される、自動評価及び自動取引する戦略生成システムであって、
情報保存モジュール、商品管理モジュール、戦略生成モジュール、戦略成績評価モジュール、戦略選別モジュール、及び戦略関連性検出モジュールを有し、
前記情報保存モジュールは、前記戦略生成システムに信号接続され、複数の前記投資商品の過去取引記録の生データを保存し、
前記商品管理モジュールは、前記戦略生成システムに信号接続され、操作インターフェイスユニットを有し、すべての前記投資商品の過去取引記録の生データを予定のフォーマットの模擬戦略成分として記録し、前記操作インターフェイスユニットを介して前記戦略生成システムに対して取引状態設定値を設定し、
前記戦略生成モジュールは、前記戦略生成システムに信号接続され、前記操作インターフェイスユニットによって設定される取引状態設定値に基づいて、前記商品管理モジュールの複数の前記模擬戦略成分から、前記取引状態設定値に合致する模擬戦略成分をランダム選択し、前記戦略生成モジュールによって取引模擬パラメータ群を自動生成し、前記取引模擬パラメータ群を選択される模擬戦略成分に適用し、前記取引模擬パラメータ群に基づいて前記模擬戦略成分の模擬取引の買売タイミングを制御し、
前記戦略成績評価モジュールは、前記戦略生成システムに信号接続され、適用される前記取引模擬パラメータ群の戦略模擬成分の利益確率を分析及び検出するための動的評価関数を有し、
前記戦略選別モジュールは、前記戦略生成システムに信号接続され、前記戦略成績評価モジュールで分析したすべての戦略模擬成分の利益確率を記録し、利益確率で並べ替え、且つ淘汰デフォルト値を有し、
前記淘汰デフォルト値は、前記淘汰デフォルト値を達してない戦略模擬成分を削除するために用いられ、
前記戦略関連性検出モジュールは、前記戦略生成システム及び前記取引システムに信号接続され、
前記戦略生成モジュール、前記戦略成績評価モジュール、及び前記戦略選別モジュールをループ最適化の方法で操作を繰り返し、前記淘汰デフォルト値に達する前記戦略模擬成分の利益確率の成績が収束に近づくと、堅実な戦略群レポート情報を生成し、前記戦略関連性検出モジュールによって前記堅実な戦略群レポート情報を受信し、前記堅実な戦略群レポート情報に対して戦略の関連性を検出した後、前記戦略関連性検出モジュールによって関連性検出した前記堅実な戦略群レポート情報を前記取引システムに接続し、取引市場での実際の自動取引作業を完成することを特徴とする、自動評価及び自動取引する戦略生成システム。
【請求項２】
前記戦略関連性検出モジュールは、線形相関係数、多重相関係数、又は正準相関係数の少なくとも１つを利用して関連性を検出することを特徴とする、請求項１に記載の自動評価及び自動取引の戦略生成システム。
【請求項３】
前記模擬戦略成分は、すべての前記投資商品の過去買売タイミング、価格、利益確定点、又は損失確定点の少なくとも１つ以上の取引記録であることを特徴とする、請求項１に記載の自動評価及び自動取引の戦略生成システム。
【請求項４】
前記操作インターフェイスユニットの取引状態設定値は、前記投資商品の開始時間、終了時間、取引値の少なくとも２つ以上の設定数値であることを特徴とする、請求項１に記載の自動評価及び自動取引の戦略生成システム。